(57)【要約】【課題】入力される映像データの転送量や消費電力を低減する。【解決手段】映像データ合成部１４１が出力する合成後映像データを、外部記憶部１０１に格納し、外部記憶部１０１の主映像データ、副映像データ、およびＯＳＤデータの更新があるまで、外部記憶部１０１に格納した合成後映像データをモニタ１０２に出力する。この場合、外部記憶部１０１から映像合成装置１００に転送されるデータは、合成後映像データのみとなるので、必要とされるメモリバンドの容量が小さくなる。また、更新があるまで映像合成装置１００内の一部の処理を停止させることにより消費電力を低減できる。【選択図】図１
2006301163.tif 000002
【特許請求の範囲】
【請求項１】
入力される複数種類の入力映像データを合成して出力する映像合成装置であって、
複数種類の入力映像データを合成する映像データ合成部と、
合成された合成後映像データを記憶部に記憶させるとともに、記憶された合成後映像データを読み出す記憶制御部と、
上記映像データ合成部から出力される合成後映像データ、または記憶部から読み出された合成後映像データを選択して出力するセレクタ部と、
を備えたことを特徴とする映像合成装置。
【請求項２】
請求項１の映像合成装置であって、
上記セレクタ部が、相前後する映像間で入力映像データが変化しない場合に、記憶部から読み出された合成後映像データを選択することを特徴とする映像合成装置。
【請求項３】
請求項１の映像合成装置であって、
上記映像データ合成部が、上記セレクタ部により記憶部の合成後映像データが選択されている場合に、合成動作を停止することを特徴とする映像合成装置。
【請求項４】
請求項１の映像合成装置であって、
上記セレクタ部により記憶部の合成後映像データが選択されている場合に、合成前の入力映像データの入力動作を停止することを特徴とする映像合成装置。
【請求項５】
請求項１の映像合成装置であって、
上記入力される複数種類の入力映像データに、相前後する映像間で変化する動的映像データと、変化しない静的映像データとが含まれる場合に、
上記映像データ合成部が、
上記動的映像データと静的映像データとが合成された全合成映像データ、および静的映像データだけが合成された部分合成映像データを生成する第１の合成動作と、
上記記憶部に一旦記憶されて読み出された上記部分合成映像データと、上記動的映像データとを合成する第２の合成動作と、
を行うように構成されていることを特徴とする映像合成装置。
【請求項６】
請求項５の映像合成装置であって、
上記映像データ合成部が第２の合成動作をしている場合に、上記静的映像データの入力動作を停止することを特徴とする映像合成装置。
【請求項７】
請求項１の映像合成装置であって、
さらに、上記入力映像データに対して所定の処理を行う映像処理部を備え、
上記映像処理部が、上記セレクタ部により記憶部の合成後映像データが選択されている場合に、上記所定の処理を停止することを特徴とする映像合成装置。
【発明の詳細な説明】
【技術分野】
【０００１】
本発明は、テレビ受像器等に適用され、主映像データや、副映像データ、ＯＳＤ（On Screen Display ）データなどの複数種類の映像データを合成する映像合成装置に関するものである。
【背景技術】
【０００２】
従来のテレビ受像器等には、例えば動画や静止画などの情報が含まれる主映像データ、字幕などの情報が含まれる副映像データ、およびメニューやタイトル画面などの情報が含まれるＯＳＤ（On Screen Display ）データなど、複数種類の映像データ（レイヤー）を合成して表示するようにしたものがある（例えば、特許文献１参照。）。
【０００３】
この種の映像合成装置では、例えば同文献の図１に示されるように、外部記憶部１０１に格納された表示出力すべき主映像データ、副映像データ、およびＯＳＤデータを順次読み出し、映像出力部１０５により混合（合成）して、モニタ１１１に出力するようになっている。すなわち、全てのフレーム（またはフィールド）について、外部記憶部１０１からの読み出しや合成などの処理が行われる。
【特許文献１】特開平１１−３５２９４６号公報（段落００１５〜００１６、図１）
【発明の開示】
【発明が解決しようとする課題】
【０００４】
しかしながら、上記のように全てのフレーム等について各種の映像データ等を外部記憶部から読み出して合成等する場合には、転送や処理されるデータ量が多いため、確保すべきメモリアクセスのバンド幅が大きいうえ、合成回路等が常時動作することになるため、消費電力も大きいという問題点を有していた。
【０００５】
本発明は、上記の点に鑑み、転送や合成処理等されるデータ量の低減や、消費電力の低減を図ることを目的としている。
【課題を解決するための手段】
【０００６】
上記の課題を解決するため、
請求項１の発明は、入力される複数種類の入力映像データを合成して出力する映像合成装置であって、
複数種類の入力映像データを合成する映像データ合成部と、
合成された合成後映像データを記憶部に記憶させるとともに、記憶された合成後映像データを読み出す記憶制御部と、
上記映像データ合成部から出力される合成後映像データ、または記憶部から読み出された合成後映像データを選択して出力するセレクタ部と、
を備えたことを特徴とする。
【０００７】
また、請求項２の発明は、
請求項１の映像合成装置であって、
上記セレクタ部が、相前後する映像間で入力映像データが変化しない場合に、記憶部から読み出された合成後映像データを選択することを特徴とする。
【０００８】
また、請求項３の発明は、
請求項１の映像合成装置であって、
上記映像データ合成部が、上記セレクタ部により記憶部の合成後映像データが選択されている場合に、合成動作を停止することを特徴とする。
【０００９】
また、請求項４の発明は、
請求項１の映像合成装置であって、
上記セレクタ部により記憶部の合成後映像データが選択されている場合に、合成前の入力映像データの入力動作を停止することを特徴とする。
【００１０】
これらにより、まず、映像データ合成部で合成された合成後映像データは、セレクタ部で選択されて出力表示されるとともに、記憶部に記憶される。そして、次に表示すべき映像の映像データが変化しない場合、記憶部に記憶された合成後映像データがセレクタ部で選択されて出力表示される。
【００１１】
そこで、相前後する映像間で入力映像データが変化しない場合、映像データ合成部の合成動作を停止させることによって、合成動作による消費電力を低減できる。また、入力映像データの入力動作を停止させることによって、転送データ量も低減できる。
【００１２】
また、請求項５の発明は
請求項１の映像合成装置であって、
上記入力される複数種類の入力映像データに、相前後する映像間で変化する動的映像データと、変化しない静的映像データとが含まれる場合に、
上記映像データ合成部が、
上記動的映像データと静的映像データとが合成された全合成映像データ、および静的映像データだけが合成された部分合成映像データを生成する第１の合成動作と、
上記記憶部に一旦記憶されて読み出された上記部分合成映像データと、上記動的映像データとを合成する第２の合成動作と、
を行うように構成されていることを特徴とする。
【００１３】
また、請求項６の発明は、
請求項５の映像合成装置であって、
上記映像データ合成部が第２の合成動作をしている場合に、上記静的映像データの入力動作を停止することを特徴とする。
【００１４】
また、請求項７の発明は、
請求項１の映像合成装置であって、
さらに、上記入力映像データに対して所定の処理を行う映像処理部を備え、
上記映像処理部が、上記セレクタ部により記憶部の合成後映像データが選択されている場合に、上記所定の処理を停止することを特徴とする。
【００１５】
これらにより、まず、入力されてくる映像データ全てが合成された全合成映像データ、および静的映像データだけが合成された部分合成映像データを映像データ合成部で出力し（第１の合成動作）、上記全合成映像データをセレクタ部で選択して出力表示する一方、上記部分合成映像データを記憶部に記憶させる。そして、次に入力されてくる映像データについては、記憶部に記憶された部分合成映像データと、動的映像データについて映像データ合成部が合成を行う（第２の合成動作）。
【００１６】
すなわち、一部の映像データが変化する場合であっても、他の変化しない映像データについての合成後映像データを記憶させて利用することによって、やはり、転送データ量や消費電力を低減できる。
【発明の効果】
【００１７】
本発明によれば、転送や合成処理されるデータ等を低減することができ、また、消費電力を低減することもできる。
【発明を実施するための最良の形態】
【００１８】
以下、本発明の実施形態について、図１を参照して説明する。
【００１９】
図１は、本発明の実施形態に係る映像合成装置１００の構成を示すブロック図である。
【００２０】
映像合成装置１００は、主映像データ、副映像データ、およびＯＳＤデータを例えば１フレーム分蓄える外部記憶部１０１から、上記各映像データが入力されると（入力映像データ）、これらのデータを合成して合成後映像データをモニタ１０２に出力するようになっている。また、外部記憶部１０１には、後述するように１フレーム前の合成後映像データも蓄えられて、画像に変化がない場合にはこの合成後映像データが映像合成装置１００に転送されるようになっている。なお、モニタ１０２には、たとえば、デジタル信号入力を有するディスプレイ等が用いられる。
【００２１】
映像合成装置１００は、具体的には、例えば１チップの半導体集積回路として構成され、転送制御部１１０（記憶制御部）、内部記憶部１２０、映像処理部１３０、および映像出力部１４０を備えている。
【００２２】
転送制御部１１０は、外部記憶部１０１から主映像データ等を読み出す一方（入力動作）、映像データ合成部１４１から出力される合成後映像データを外部記憶部１０１に転送するようになっている。
【００２３】
内部記憶部１２０は、外部記憶部１０１から読み出された主映像データ、副映像データ、ＯＳＤデータ、および合成後映像データを、例えば１表示ライン（走査線）単位で順次バッファリングするようになっている。
【００２４】
映像処理部１３０は、主映像出力部１３１、副映像出力部１３２、およびＯＳＤ出力部１３３を備え、それぞれの出力部により画像サイズや表示位置の変更、色調の調整等の処理をされたデータが映像出力部１４０の映像データ合成部１４１に入力されるようになっている。
【００２５】
映像データ合成部１４１は、主映像出力部１３１、副映像出力部１３２、およびＯＳＤ出力部１３３の出力の合成、例えば、いずれかに所定の係数αを乗じて加算する等の合成処理（合成動作）を行い、合成後映像データを転送制御部１１０およびセレクタ部１４２に出力するようになっている。
【００２６】
セレクタ部１４２は、一旦外部記憶部１０１に書き込まれた後、読み出されて内部記憶部１２０に保持された合成後映像データと、映像データ合成部１４１が出力する映像データのいずれかを選択し、モニタ１０２に出力するようになっている。
次に、上記のように構成された映像合成装置１００の動作を説明する。
【００２７】
まず、外部記憶部１０１に蓄えられた、主映像データ、副映像データ、およびＯＳＤデータが、転送制御部１１０により、例えば、水平同期信号に同期して表示ライン毎に読み出され、内部記憶部１２０に蓄えられる。内部記憶部１２０に蓄えられた主映像データ、副映像データ、およびＯＳＤデータは、それぞれ、主映像出力部１３１、副映像出力部１３２、およびＯＳＤ出力部１３３で、画像サイズや表示位置の変更、色調の調整等の処理をされる。上記３つの出力部の出力は、映像データ合成部１４１で合成処理される。合成後映像データは、セレクタ部１４２により選択され、モニタ１０２に出力される。また、合成後映像データは、転送制御部１１０により転送されて、外部記憶部１０１に書き込まれる。
【００２８】
上記の各表示ライン毎の処理が繰り返され、１フレームの映像を表示し終えた後には、合成後映像データが、外部記憶部１０１に１フレーム分、蓄えられている。そこで、次の画面の映像データが前画面と比べて変化しない場合、より具体的には、例えば、外部記憶部１０１に蓄えられた主映像データ、副映像データ、およびＯＳＤデータに変更がなく、主映像出力部１３１、副映像出力部１３２、およびＯＳＤ出力部１３３の処理内容に変更がなく、かつ、映像データ合成部１４１における合成処理のパラメータにも変更がない場合、外部記憶部１０１に蓄えられている合成後映像データだけが、転送制御部１１０により表示ライン毎に読み出され、内部記憶部１２０に蓄えられる。この際、変更の有無は、例えば外部記憶部１０１の映像データやＯＳＤデータの記憶されている領域への書き込みの有無により判定を行う。また、各処理部の処理内容の変更や合成処理のパラメータについても同様に書き込みの有無により判定を行う。かかる内部記憶部１２０に蓄えられた合成後映像データは、セレクタ部１４２に転送される。転送された合成後映像データは、セレクタ部１４２により選択され、モニタ１０２に出力される。
上記のように、合成後映像データを外部記憶部１０１に蓄えることにより、映像データに変化がない場合には、蓄えられた合成後映像データが転送されるだけでよいので、転送データ量を低減できる。また、蓄えられた合成後映像データを表示する場合、映像処理部１３０および映像データ合成部１４１の動作を停止させることができ、これによって消費電力が低減される。なお、必ずしもこれらの動作が停止されなくても、合成後映像データだけが外部記憶部１０１から映像合成装置１００に転送されることによる転送データの低減効果は得られる。
なお、上記の実施形態では、３種類の映像データすべてが相前後する映像間で変化しない場合にだけ、外部記憶部１０１の合成後映像データが用いられる構成の例を説明したが、３種類の映像データのうち１種類の映像データだけが変化する場合等にも、外部記憶部１０１に記憶された合成後映像データが用いられる構成にしてもよい。具体的には、例えば、３種類の映像データのうち１種類の映像データだけが変化する場合（動的映像データ）に次のように動作するようにしてもよい。すなわち、最初の画面の映像データについては、３種類の映像データが映像データ合成部１４１で合成され、合成後映像データがモニタ１０２に出力されるとともに、変化しない２種類の映像データ（静的映像データ）だけが合成された合成後映像データが外部記憶部に保存される。次の画面の映像データについては、変化した１種類の映像データが外部記憶部１０１から読み出され、映像処理部１３０等を介して映像データ合成部１４１に入力される。一方、外部記憶部１０１に保存された２種類の映像データの合成後映像データも、前記の例と異なり、図１に破線で示すように、映像データ合成部１４１に入力されて上記変化した１種類の映像データと合成され、得られた合成後映像データがモニタ１０２に出力される。
【００２９】
このように、１種類の映像データが変化する場合であっても、２種類の映像データが変化しなければ、変化しない２種類の映像データが合成された合成後映像データを外部記憶部１０１に蓄えることにより、その後の合成処理は、この合成後映像データと変化しない映像データの計２種類について行えばよくなるので、転送データ量や消費電力を低減できる。
【産業上の利用可能性】
【００３０】
本発明にかかる映像合成装置は、転送や合成処理されるデータ等を低減することができ、また、消費電力を低減することもできるという効果を有し、テレビ受像器等に適用され、主映像データや、副映像データ、ＯＳＤ（On Screen Display ）データなどの複数種類の映像データを合成する映像合成装置等として有用である。
【図面の簡単な説明】
【００３１】
【図１】本発明の実施形態に係る映像合成装置１００の構成を示すブロック図である。
【符号の説明】
【００３２】
１００    映像合成装置
１０１    外部記憶部
１０２    モニタ
１１０    転送制御部
１２０    内部記憶部
１３０    映像処理部
１３１    主映像出力部
１３２    副映像出力部
１３３    ＯＳＤ出力部
１４０    映像出力部
１４１    映像データ合成部
１４２    セレクタ部
【図１】
2006301163.tif 000003